(57)【要約】      （修正有）【課題】クリアファイルのような簡単なファイルでは、書類の綴じ穴を使って綴じる事はできなかった。クリアファイルにプラスチック整形の綴じ具を使った綴じ部は嵩高となり、クリアファイルのような薄手感は得られなかった。【解決手段】クリアファイルの裏表紙から切り出した綴じ足を紙葉の綴じ穴に挿通し、綴じ足の先端をクリアファイルの表紙の切り込みに差し込む事で、紙葉を綴じ、綴じ部の厚みは殆ど変化せずにクリアファイルの薄手感を維持するファイルとなる。【選択図】図１
2010274535.tif 000002
【特許請求の範囲】
【請求項１】
ほぼ方形に裁断された可撓性シートを、その中央部で二つに折りとして表表紙と裏表紙となし、裏表紙の中央折り部近くに端部が固定された可撓性シートからなる綴じ足を中央折り部を含む表表紙側に設けた綴じ足貫通路に挿通する事で綴じ穴付き紙葉類を綴じる事を特徴とするファイル。
【請求項２】
裏表紙には裏表紙の中央折り部近くを根本とする、中央折り部に沿って複数個の中央折り部と反対方向に先端が向かう綴じ足としての爪状切り込み片と、爪状切り込み片の根本に最も近い中央折り部を含む表表紙には裏表紙の綴じ足としての爪状切り込み片を挿通する切り込み綴じ足貫通路とを有する１枚の可撓性シートからなる事を特徴とする請求項１記載のファイル。
【請求項３】
裏表紙内側には中央折り部近くに中央折り部に沿って、複数個の綴じ足を有する綴じ足シートを綴じ足先端が中央折り部と反対方向に綴じ足の先端が向かうように設け、表表紙内側の中央折り部近くには綴じ足と正対する位置に綴じ足貫通路としての未接着部を残して綴じ足留めシートを設けた事を特徴とする請求項１記載のファイル。  
【請求項４】
綴じ足シートと綴じ足留めシートが綴じ足と綴じ足留めとが正対するように繋がっている事を特徴とする請求項３記載のファイル。
【請求項５】
請求項３及び請求項４記載の綴じ足シート及び綴じ足留めシートからなる綴じ具。    
【発明の詳細な説明】
【技術分野】
【０００１】
書類の綴じ穴に綴じ足を挿通して綴じる新規な綴じファイルに関する。  
【背景技術】
【０００２】
従来より、数枚から１０数枚まで位の比較的少ない枚数のバラの書類を一時的に整理保管するために、クリアファイルのような、方形のプラスチックシートを中央で二つ折りにし、中央折り筋に繋がる１辺の表裏を溶着シールするなどして２方をＬ字状に閉じただけの簡単ファイルが広く用いられてきた。書類は表裏シートの間に挟まれ、Ｌ字状の２辺の閉じ辺により支えられるだけの簡単なファイル方法ではあるが、未整理書類を一時的に整理しておくには大変便利である。しかし書類を見るためにはいちいち一旦ファイルから全書類を取り出さねばならず、又、扱い方により閉じられていない２辺より書類が飛び出したりするなどの問題を有し、クリアファイルのような透明で書類の中身が透けて見え、書類の飛び出しが無く、書類をファイルから取り出すことなく見る事が出来る新しいファイルが求められていた。  
【０００３】
これに対して、綴じ穴のある書類には、クリアファイルの側面に設けた２穴とじ用の差込口に書類を差し込む（特許文献１）案が提案されている。とじ用差込口で書類がしっかり綴じられ、書類を見たいときは底辺の落下防止差込を解除すれば書類をファイルから取り出さずに見ることが出来るはずである。しかし、どのような差込口を設けるのか具体的記載がなく、図１、２から想像するするしかないが、実施例から想像される差込口では、書類の綴じ穴への綴じ込みは大変困難であり実用的とは思えず、かつ書類の落下防止が別に必須であり、かつファイルに綴じたままで書類を見るためには、この落下防止の差込を解除しなけければならない。即ち、書類の綴じ穴にとじ用差込口を挿通してもそれだけでは書類の落下は防止できず、底辺に落下防止の差込を設けている事になり、とじ用差込口で書類を綴じただけでは済まない事を物語っている。
【０００４】
また、クリアファイルにプラスチック成型された２穴専用の綴じ具（特許文献２）を接着したような商品も販売されている。書類はしっかり綴じられ、ファイルしたまま書類の中身が分かり、そのまま書類を見る事が出来る。しかし、専用綴じ具はコストアップになり、かつプラスチック成型された綴じ具自体に厚みがあり、本来のクリアファイルの少ない枚数の書類を簡単にファイルし、嵩張らないという趣旨から逸脱するものとなっている。    
【特許文献１】実用新案登録第３１２６７０５
【特許文献２】特開２００４−２０２８５０
【発明の開示】
【発明が解決しようとする課題】
【０００５】
本発明が解決しようとしている課題は、クリアファイルのような薄手シートからなるファイルにも、綴じ穴を有する書類を簡単に綴じることができるようにし、かつ通常の２辺をＬ字状に閉じただけのクリアファイルに書類を入れた時のあの薄手感が失われないように綴じ部が厚くなったり盛り上がったりしない、薄手シートファイルを提供することにある。
【課題を解決するための手段】
【０００６】
第一の課題解決手段は、ほぼ方形に裁断された可撓性シートを、その中央部で二つに折りとして表表紙と裏表紙となし、裏表紙の中央折り部近くに端部が固定された可撓性シートからなる綴じ足を中央折り部を含む表表紙側に設けた綴じ足貫通路に挿通する事で綴じ穴付き紙葉類を綴じる事を特徴とするファイルとする。
【０００７】
第二の課題解決手段は、裏表紙には裏表紙の中央折り部近くを根本とする、中央折り部に沿って複数個の中央折り部と反対方向に先端が向かう綴じ足としての爪状切り込み片と、爪状切り込み片の根本に最も近い中央折り部を含む表表紙には裏表紙の綴じ足としての爪状切り込み片を挿通する切り込み綴じ足貫通路とを有する１枚の可撓性シートからなる事を特徴とする第一の課題解決手段記載のファイルとする。
【０００８】
第三の課題解決手段は、裏表紙内側には中央折り部近くに中央折り部に沿って、複数個の綴じ足を有する綴じ足シートを綴じ足先端が中央折り部と反対方向に綴じ足の先端が向かうように設け、表表紙内側の中央折り部近くには綴じ足と正対する位置に綴じ足貫通路としての未接着部を残して綴じ足留めシートを設けた事を特徴とする第一の課題解決手段記載のファイルとする。  
【０００９】
第四の課題解決手段は、綴じ足シートと綴じ足留めシートが綴じ足と綴じ足貫通路とが正対するように繋がっている事を特徴とする第三の課題解決手段記載のファイルとする。
【００１０】
第五の課題解決手段は、第三及び第四の課題解決手段記載の綴じ足シート及び綴じ足留めシートからなる綴じ具とする。
【発明の効果】
【００１１】
発明の効果は次の通りである。即ち、従来の最も簡単な方形のプラスチックシートを二つ折りにし、底辺をシールしただけのＬ字状に２方が閉じ、他の２方が開いたクリアファイルのような簡単ファイルに近い感覚で書類の綴じ穴を使って綴じる事が出来、かつ綴じ部が大変薄く出来、書類を綴じ穴を使って綴じていても、通常のクリアファイルにただ挟んでいるだけのような感覚である。これはまさに綴じ具が薄い可撓性シートで出来ているからであり、その薄いシートだけで書類を留められるようにしたからである。他の方式のように綴じ部が嵩張るものでは、綴じたファイルを数冊重ねると綴じ部と他の部分との厚さ差が大きくなり重ねて置くことすら出来ない。本発明により、綴じ穴を使ったファイルでも綴じ部の存在を感じさせない方式は他にない。
【発明を実施するための最良の形態】
【００１２】
図１〜図３に本発明の第一の実施形態について説明する。図１は二つ折りする前の本発明による可撓性薄手シートである。材質はポリプロピレン、厚みは０．２ｍｍである。表表紙２、裏表紙３、中央に折り筋４を基本とし、裏表紙３の中央折り筋４近くには、先端を中央折り筋とは反対方向に向けた綴じ足となる２本の爪状切り込み片５が、切り込み片５の根本に最も近い中央折り筋には切り込み片５と同じ幅の切り込み６が２個設けられている。
【００１３】
図２は、綴じ穴を有する紙葉Ｐの綴じ穴７に下から綴じ足である爪状切り込み片５を挿通し、先端部５ａを中央折り筋４上に設けた切り込み６に挿通した状態を示す平面図である。表表紙は透明であり、綴じ足である舌状切り込み片５の先端部５aは、図２の如く透けて見える。綴じ足である爪状切り込み片５は紙葉の綴じ代部を最短距離で横切り、切り込み６に挿通係止されている。
【００１４】
図３は、図２の状態から、表表紙２を半開き状態に紙葉の上に閉じた状態を示す。中央折り筋４上に設けた切り込み６から舌状切り込み片５の先端部５aが飛び出している。これで本実施例は、一枚のシートのみで綴じ穴を有する紙葉を特別な綴じ具を用いないで綴じる事が出来た。綴じ足は本体ファイルシートそのものであり、綴じ部の厚みは図３の状態で０．４ｍｍ増加しただけで、殆どクリアファイルのイメージは変化する事なく、綴じ穴付きの書類を綴じることが出来た。
【００１５】
本実施形態では、一枚のシートを打ち抜くだけで綴じ方式のクリアファイルが出来る。通常のクリアファイルでは、超音波シール、熱融着などのシールが必要となるが、ここでは不要であり、安価なファイルを提供出来る。尚、綴じ足となる爪状切り込み片５の先端部５ａの両サイドに細かな櫛状切り込みを入れておくと、切り込み６で綴じ足はしっかり係止されやすくなる。又、綴じ足５のどこか、例えば綴じ足先端部５ａの先端に裏表紙３との切り残しを設けておき、実際に使用する時、切り離して使用する方法もある。さらに表裏表紙の底辺を弱くシールしておき、通常は従来のクリアファイルのような使い方をする使い方もある。
【００１６】
図４〜図８に、本発明の第二の実施形態について説明する。図４は厚み０．２ｍｍのポリプロピレンシート製の綴じ足シート２６及び綴じ足留めシート２７からなる綴じ具シートの平面図である。綴じ足シート２６は２本の綴じ足２１が書類の綴じ穴の間隔８ｃｍで並び、綴じ足幅５ｍｍに設けられている。綴じ足留めシートは綴じ足先端２１ａを差し込む差込口２２、綴じ足の係止のためのＶ字切り欠き２４、Ｔ字切り込み２５からなる。
【００１７】
図５は、表表紙２、裏表紙３、中央折り筋４からなる厚み０．２ｍｍのポリプロピレン製シートに綴じ足シート２６及び綴じ足留めシート２７からなる綴じ具シート２０を、中央折り筋４を中心に綴じ足シート２６を裏表紙に綴じ足が中央折り筋と反対方向に向くように、綴じ足留めシート２７を表表紙に斜線部でファイルシートと張り合わせる。綴じ足シート２６は綴じ足２１の部分はフリーであり、綴じ足留めシート２７では斜線を施していない部分が綴じ足留めシート２７と表表紙とが未接着な部分であり、綴じ足２１を挿通する綴じ足貫通路２８となる。
【００１８】
図６は、綴じ穴７を有する紙葉Ｐに下から綴じ足２１を挿通し、綴じ足７の先端２１ａを綴じ足差込口２２から綴じ足貫通路２８に差込み、表表紙２に綴じ足先端２１ａが出ている状態の平面図を示す。一応この状態でも紙葉Ｐは綴じられているが、綴じ足２１の係止は不十分である。図７は図６において、綴じ足先端２１ａをＶ字切り欠き２４からＴ字切り込み２５に強引に引っ張り、Ｔ字切り込み２５に綴じ足２１が収まり、係止された状態を示す。もしこれでも係止が不足なら、第一の実施形態同様に、綴じ足２１の係止部分の両サイドに櫛状の細かな切り込みを入れておくと良い。図８は、図７の状態から表表紙を半開きに閉じた状態を示している。表表紙が透明であるため、綴じ具シートにより紙葉が綴じられている状態が図８のように見る事が出来る。
【００１９】
本発明は第一、及び第二の実施形態に示すとおり、従来のクリアファイルに書類をファイルする感覚で綴じ穴に綴じる事が出来る。しかも通常のプラスチック成型された嵩高い綴じ具を用いずに、薄いプラスチックシートで綴じるため、ファイル状態がどこも盛り上がらず、ファイルの薄手感は保たれている。この薄手シートを綴じ足として綴じる事を可能にしたのは、綴じ足を綴じ穴の紙葉に対して最短距離方向に横切らせるように綴じたことである。本発明は０．２ｍｍという薄いプラスチックシートで綴じるため、綴じ部が厚くならず、従来にないフラット感のある綴じファイルとなった。尚、第二の実施形態では、綴じ具シート２０は１枚であるが、綴じ足シート２６と係止シート２７を切り離して設けても良い。又、第二の実施形態ではファイルシートを紙葉よりは厚手であるが、紙を使っても透明性以外は、ほぼ同じような効果が得られる。印刷効果は紙シートの方が得られる。
【図面の簡単な説明】
【００２０】
【図１】第一の実施形態によるファイルの平面図
【図２】綴じ穴付き紙葉の綴じ穴に綴じ足を挿通し、綴じ足を係止した平面図
【図３】表表紙を閉じた状態
【図４】第二の実施形態による綴じ具シートの平面図
【図５】ファイルシートに綴じ具シートを貼り付けた平面図
【図６】綴じ穴付き紙葉の綴じ穴に綴じ足を挿通し、綴じ足先端を綴じ足留めシ            ートの綴じ足貫通路に挿通した平面図
【図７】綴じ足を綴じ足留めシートのＴ字切り込みに係止した平面図
【図８】表表紙を閉じた状態
【符号の説明】
【００２１】
Ｐ    紙葉
１    ファイルシート
２    表表紙
３    裏表紙
４    中央折り筋
５    爪状切り込み片（綴じ足）
５ａ  爪状切り込み片先端部（綴じ足先端部）
６    切り込み（綴じ足挿通用）
７    綴じ穴（紙葉の）
２０    綴じ具シート
２１    綴じ足
２２    綴じ足差込口
２４    Ｖ字切り欠き
２５    Ｔ字切り込み
２６    綴じ足シート
２７    綴じ足留めシート
２８    綴じ足貫通路
【図１】
2010274535.tif 000003
【図２】
2010274535.tif 000004
【図３】
2010274535.tif 000005
【図４】
2010274535.tif 000006
【図５】
2010274535.tif 000007
【図６】
2010274535.tif 000008
【図７】
2010274535.tif 000009
【図８】
2010274535.tif 000010